(57)【要約】【課題】  ガスメーターのガス使用量積算カウンター全体の横幅をコンパクトにしながらも、数字を大きく表示でき、しかも、数字盤外面に数字を印刷しやすくすること。【解決手段】  ０〜９が記載された複数枚の数字盤２を、軸１を中心にして回転可能に並べ、軸に通した支持プレート４を隣り合う数字盤の間に介在し、支持プレートの支軸１４に桁上げ歯車３を回転可能に支え、桁上歯車の両側を隣り合う数字盤に噛み合わせ、小桁の数字盤が一回転した場合に一回噛み合う間欠歯車１７を、桁上歯車の一方側に設け、大桁の数字盤に噛み合う小歯車１６を、桁上歯車の他方側に設けるガスメーターのガス使用量積算カウンターにおいて、数字盤は軸を通す円盤６の外周縁から数字表記用外リング７を両側に突出し、円盤の内周側から噛合用内リング８を両側に突出し、小歯車に噛み合う内歯車９を内リング一方側に設け、間欠歯車に間欠的に噛み合う凹部１０を内リング他方側に設ける。【選択図】      図１ 
2005221318.tif 000002
【特許請求の範囲】
【請求項１】
０〜９までの数字が順番に記載された複数枚の数字盤（２）を、軸（１）を中心にして回転可能に並べ、軸（１）に通した支持プレート（４）を隣り合う数字盤（２）の間に介在し、支持プレートの支軸（１４）に桁上げ歯車（３）を回転可能に支え、桁上げ歯車（３）の軸線方向両側を隣り合う数字盤（２）にそれぞれ噛み合わせ、小さい桁の数字盤（２）が一回転した場合に一回噛み合う間欠歯車（１７）を、桁上げ歯車（３）の一方側に設け、大きい桁の数字盤（２）に噛み合う小歯車（１６）を、桁上げ歯車（３）の他方側に設けるガスメーターのガス使用量積算カウンターにおいて、
数字盤（２）は、軸（１）を通す円盤（６）の外周縁から数字表記用の外リング（７）を軸線方向両側に突出し、円盤（６）の内周側から噛み合わせ用の内リング（８）を軸線方向両側に突出し、内リング（８）の一方側には、小歯車（１６）に噛み合う内歯車（９）を設けると共に、内リング（８）の他方側には、間欠歯車（１７）に間欠的に噛み合う凹部（１０）を設けてあることを特徴とするガスメーターのガス使用量積算カウンター。
【発明の詳細な説明】
【技術分野】
【０００１】
本発明はガスメーターにおいてガス使用量を示す歯車式のガス使用量積算カウンターに関する。
【背景技術】
【０００２】
ガス会社ではガス使用量を知るための手段として、検針員によるメーターの目視を用いている。従って、検針を迅速且つ正確に行うために、メーターの数字を大きく表示することが要望されている。
【０００３】
ガスメーター以外の歯車式のメーターとしては、外歯車を用いるタイプと、内歯車を用いるタイプがあるが、ガスメーターの歯車式のガス使用量積算カウンターとしては、外歯車を用いるタイプ以外、出願人は見たことがない。このタイプは具体的に言えば、数字を順番に記載した数字盤が並列しており、各数字盤の左右に小径の外歯車を設け、左右の数字盤の隣り合う外歯車同士に、桁上げ歯車を噛み合わせたものである。外歯車のタイプは、数字盤の横幅が数字表示幅となるが、外歯車と桁上げ歯車との噛み合わせ用の横幅部分には数字を表示できない。従って、数字表示とは関係のない部分が、メーター全体の横幅のうちかなりの割合を占めている。それにも関わらず、上述した要望に応えて数字を大きく表示するために数字盤の直径と横幅を広げた場合には、それに合わせて外歯車及び桁上げ歯車の各横幅を広くして桁上げ歯車が外れるのを防がなければならず、必然的にメーター全体の横幅が広くなる。
【特許文献１】特開平１１−１８３２２９号公報  （図１、図２）
【０００４】
一方、内歯車を単に用いてガスメーターのガス使用量積算カウンターを作った場合には、図１３、図１４に示すようなものが予想され、これは内歯車９１を数字盤９２の内面側に設け、桁上げ歯車９３が左右の数字盤同士の間に収容されるので、外歯車を用いるタイプよりも数字表示面の横幅を広く取れるメリットがある。その反面、内歯車を成形するときのヒケで数字盤外面が多少凸凹する形状となり、外面に数字を印刷し難くなるというデメリットがある。そして、数字を見やすくするために数字盤の直径を大きくすれば、凹凸も大きくなるので、印刷は一段と難しくなる。
【発明の開示】
【発明が解決しようとする課題】
【０００５】
本発明は上記実情を考慮して創作されたもので、その解決しようとする課題は、メーター全体の横幅をコンパクトにしながらも、数字を大きく表示でき、しかも、数字盤外面に数字を印刷しやすくすることである。
【課題を解決するための手段】
【０００６】
本発明は、０〜９までの数字が順番に記載された複数枚の数字盤を、軸を中心にして回転可能に並べ、隣り合う数字盤の間に支持プレートを介在し、支持プレートの支軸に桁上げ歯車を回転可能に支え、桁上げ歯車の軸線方向両側を隣り合う数字盤にそれぞれ噛み合わせ、小さい桁の数字盤が一回転した場合に一回噛み合う間欠歯車を、桁上げ歯車の一方側に設け、大きい桁の数字盤に噛み合う小歯車を、桁上げ歯車の他方側に設けるガスメーターのガス使用量積算カウンターを前提としている。
【０００７】
そして、数字盤は、軸を通す円盤の外周縁から数字表記用の外リングを軸線方向両側に突出し、円盤の内周側から噛み合わせ用の内リングを軸線方向両側に突出し、内リングの一方側には、小歯車に噛み合う内歯車を設けると共に、内リングの他方側には、間欠歯車に間欠的に噛み合う凹部を設けてあることを特徴とする。
【０００８】
数字表記用、噛み合わせ用の役割毎に外リングと内リングを設けることによって、数字盤成形時のヒケが外リングに与える影響を出来る限り少なくしつつ、噛み合わせを確保してある。
【発明の効果】
【０００９】
本発明は、噛み合わせ用の内リングには内歯車成形時のヒケが発生するが、内リングとは別の数字表記用の外リングには内歯車を形成しないので、外リングの外面はヒケが発生することなく平らになる。従って、数字を大きく表示するために数字盤の直径及び横幅を大きくしても、外リングの外面は平らとなって、数字を容易に印刷することができる。また、内歯車が隣り合う数字盤の中に収容される形態となるので、メーター全体の横幅の殆どを数字盤が占め、支持プレートの横幅分は僅かとなり、その結果、数字を大きく表示しながらもメーター全体の横幅をコンパクトに抑えることができる。
【発明を実施するための最良の形態】
【００１０】
本発明のガスメーターのガス使用量積算カウンターは図１、図２に示すように、軸１と、軸１を中心に回転する複数枚の数字盤２と、隣り合う数字盤２，２同士に噛み合わせる桁上げ歯車３と、軸１とは別の位置で桁上げ歯車３を回転可能に支える支持プレート４を部品とし、軸１を金属製品とし、それ以外を合成樹脂製品としてある。
【００１１】
数字盤２は最も小さい桁用と、それ以外の大きい桁用に分けられる。大きい桁用の数字盤２は図３に示すように、軸１を通す筒５を円盤６の中心に有し、円盤６の外周縁に沿って外リング７を軸線方向両側に突出すると共に、外リング７の表面に０〜９までの数字を順番に印刷してある。円盤６の内周側に沿って内リング８を軸線方向両側に突出し、内リング８の一方側（小さい桁側）と他方側（大きい桁側）の半径に差をつけてあり、内リング８の一方側には内歯車９を備え、他方側には中心向きに開口する凹部１０を設け、内歯車９には小さい桁側の桁上げ歯車３の他方側が噛み合い、凹部１０には大きい桁側の桁上げ歯車３の一方側が噛み合う。内リング８の他方側は、凹部１０以外では外リング７よりも突出長が短く、桁上げ歯車３との噛み合わせを確保するために、凹部１０のみ突出長を長くして外リング７と同等にしてある。また、円盤６には凹部１０に桁上げ歯車３が噛み合う位置以外に、位置決め用の組立ピン１１（図１参照）を通すピン穴１２をあけてある。
【００１２】
最も小さい桁用の数字盤２は図４に示すように、外リング７が円盤６に対して大きい桁側にのみ突出してあること、内リング８では大きい桁側とは反対側に外歯車１３を形成してあること以外は、大きい桁用の数字盤２と同じである。また、ここでのピン穴１２は、貫通の有無は問わない。なお、図示しないが、この外歯車１３には、ガス使用に応じて回転する駆動歯車が噛み合う。
【００１３】
桁上げ歯車３は図１、図２、図６又は図７に示すように、中心には支持プレート４の支軸１４に通す抜穴１５を有し、内歯車９に噛み合う小歯車１６を大きい桁側に形成し、凹部１０に噛み合う間欠歯車１７を小さい桁側に形成してある。小歯車１６の歯数に対して間欠歯車１７の歯数を半分とし、小歯車１６の歯を一つおきに小さい桁側に延ばすことで間欠歯車１７を形成してある。小歯車１６の側面には、間欠歯車１７の歯の有無を知らせる目印１８が、小突起として形成してある。図面では目印１８の有る位置には、間欠歯車１７の歯がないものとしてある。桁上げ歯車３と大きい桁側の数字盤２とは、図２（ロ）に示すように小歯車１６と内歯車９によって、常時噛み合っているが、桁上げ歯車３と小さい桁側の数字盤２とは、間欠歯車１７と凹部１０によって間欠的に噛み合っている、即ち、図２（ハ）に示すように小さい桁側の数字盤２が一回転した場合に凹部１０が間欠歯車１７に一回のみ噛み合って数字を１つ加算する分だけ大きい桁側の数字盤２を回し、それ以外では図７に示すように間欠歯車１７は凹部１０とは噛み合っていない。
【００１４】
支持プレート４は図５に示すように、数字盤２と同径の丸い板であって、中心には軸１を通す抜穴１９をあけ、中心以外には桁上げ歯車３よりも大きな収容孔２０をあけ、収容孔２０の周囲から小さい桁側に平面視コ字状のブラケット２１を突出し、桁上げ歯車３を回転可能に支える支軸１４をブラケット２１から収容孔２０に向かって延長し、組立ピン１１を通すピン穴２２を、抜穴１９と収容孔２０以外の箇所にあけてある。また、支持プレート４を軸１に対して回転不能に保つ保持片２３を、外周の一部から数字盤２よりも外側に突出し、保持片２３に雌部２４をＵ字状に形成する一方、図１１に示すようにガスメーターの表示フレーム２５には雄部２６を帯状に設けてある。これら雄部２６と雌部２４との結合によって、支持プレート４が回転不能となり、軸１に対する支軸１４の位置、ひいては桁上げ歯車３の回転位置が決定する。また、雌部２４の上下を幅広に形成することで、容易に結合できるようにしてある。なお、図示しないが、雄部２６を保持片２３に設け、雌部２４を表示フレーム２５に設けても良い。
【００１５】
表示フレーム２５は図９、図１０に示すように、読み取り板２７を前面に固定する四角形の前枠２８と、前枠２８の軸線方向両側から後方に突出する側面視Ｌ字状の一組のアーム２９とからなり、前枠２８の下片には前記帯状雄部２６を後方に突出し、アーム２９の高さ中間部の後部内面側には、軸１の両側を支えるＵ字状の軸受け穴３０を、後方に向かって開口してある。軸受け穴３０は貫通しておらず、それによって軸１を軸線方向に移動不能に保持する。また、軸１を軸受け穴３０内で前後方向に移動不能に保持するために、図９、図１２に示すようにアーム２９の上面側には、係止片３１を挿入する被係止穴３２を軸受け穴３０の上下に亘って形成し、被係止穴３２に係止片３１を挿入した場合には、軸受け穴３０の底と係止片３１で軸１が前後方向に移動不能となる。上側の被係止穴３２は円形状であるが、下側の被係止穴３２は異形状（例えば三角形状）で、同じく断面が異形状の係止片３１の下端部との嵌り合いによって、係止片３１を位置決めしてある。
【００１６】
係止片３１は、屈曲した棒状であって、上下の被係止穴３２に挿入する差込部３３と、差込部３３の上端から後方に突出しその先から下方に向かう屈曲部３４とからなり、屈曲部３４の下端に楔形の引掛け部３５を有し、引掛け部３５をアーム２９の軸受け穴３０の入り口側に掛けて、係止片３１をアーム２９に取り付ける。なお、係止片３１はその弾性によって変形するので、引掛け部３５を後方に引っ張れば、引っかかりが外れて係止片３１を抜き取ることもできる。
【００１７】
読み取り板２７は、並列する数字盤２の前面側を覆い隠す大きさであって、その一部には数字読み取り窓３６をあけ、数字読み取り窓３６の上下にガス使用量の単位や、ガスメーターに関する情報（型や製造元等）を記載する。
【００１８】
上述した部品は以下の要領で組み立てる。まず、最も小さい桁用の数字盤２に対して軸１と組立ピン１１を、それぞれ筒５とピン穴１２に差し込む。次に支持プレート４を用意し、軸１と組立ピン１１に対して抜穴１９とピン穴２２を通して、数字盤２に支持プレート４を沿わせる。そうすると、位置決め作用によって、数字盤２の凹部１０が収容孔２０から見えている。続いて、桁上げ歯車３を支持プレート４の支軸１４に挿入し、桁上げ歯車３の間欠歯車１７に凹部１０を噛み合わせる。この際には、目印１８を利用すれば、間欠歯車１７の歯を凹部１０に簡単に噛み合わせることができる。その次には、大きい桁用の数字盤２を用意し、その筒５とピン穴１２を軸１と組立ピン１１に通すと、位置決め作用によって、数字盤２の内歯車９に桁上げ歯車３の小歯車１６が噛み合わさる。以後、同じ要領で、支持プレート４、桁上げ歯車３、数字盤２を順番に取り付ける。そうすると、図８に示すように、複数枚の支持プレート４の保持片２３、ひいては保持片２３の雌部２４が軸線方向に沿って一直線に揃うので、雌部２４を表示フレーム２５の雄部２６に合わせながら軸１の両側を軸受け穴３０に嵌め込む。このときに、組立ピン１１は、図１又は図２に示すように軸１の真後ろに配置されていることから、軸１や雌部２４を嵌め込む際に全く邪魔にならず、軸等を嵌め込み後に組立ピン１１を抜き取ることによって、数字盤２が軸１を中心に回転可能になり、メーターとして機能する。最後に、二つの係止片３１を両側のアーム２９の被係止穴３２に差し込んで、軸１の両側を移動不能に保持することで組立が完了する。
【００１９】
組み立てたガス使用量積算カウンターの構造は、軸１を中心にして複数枚の数字盤２を回転可能に設け、隣り合う数字盤２，２の間には支持プレート４を介在し、支持プレート４の支軸１４を中心にして桁上げ歯車３を回転可能に設け、支軸１４の周囲にあけた支持プレート４の収容孔２０と隣り合う数字盤２，２同士の内リング８の中が連通し、桁上げ歯車３が収容孔２０と隣り合う内リング８の中に収容されて、桁上げ歯車３を外部から視認不能としてある。また、数字盤２の内リング８の小さい桁側の内歯車９に、桁上げ歯車３の小歯車１６が噛み合い、数字盤２の内リング８の大きい桁側の凹部１０が、支持プレート４のブラケット２１の外側（図２では上側）に配置され、凹部１０に桁上げ歯車３の間欠歯車１７が間欠的に噛み合うものとなる。
【図面の簡単な説明】
【００２０】
【図１】（イ）図は本発明のガスメーターのガス使用量積算カウンターの組立具合を示す斜視図、（ロ）図は反対側から視た斜視図である。
【図２】（イ）図はガスメーターのガス使用量積算カウンターの組立具合を示す断面図、（ロ）図はＡ−Ａ線断面図、（ハ）図はＢ−Ｂ線断面図である。
【図３】（イ）図は大きい桁の数字盤の正面図、（ロ）図は背面図、（ハ）図は右側面図、（ニ）図はＡ−Ａ線断面図である。
【図４】（イ）図は最も小さい桁の数字盤の正面図、（ロ）図は背面図、（ハ）図は右側面図、（ニ）図はＡ−Ａ線断面図である。
【図５】（イ）図は支持プレートの正面図、（ロ）図は右側面図、（ハ）図は背面図、（ニ）図はＡ−Ａ線断面図、（ホ）図は平面図である。
【図６】（イ）図は桁上げ歯車を示す正面図、（ロ）図は右側面図、（ハ）図はＡ−Ａ線断面図である。
【図７】桁上げ歯車の間欠歯車と凹部とが噛み合わない状態を示す断面図である。
【図８】ガスメーターのガス使用量積算カウンターの組立状態を示す正面図である。
【図９】（イ）図は表示フレームの平面図、（ロ）図は正面図、（ハ）図は右側面図、（ニ）図は背面図、（ホ）図はＡ−Ａ線断面図である。
【図１０】ガス使用量積算カウンターを表示フレームに取り付けた状態を示す正面図である。
【図１１】支持プレートの雌部と表示フレームの雄部との結合を示す断面図である。
【図１２】（イ）図は軸の留め方の前状態を示し、（ロ）図は後状態を示す断面図である。
【図１３】従来技術で述べたガス使用量積算カウンターの組立具合を示す断面図である。
【図１４】（イ）図は図１３中の数字盤を示す正面図、（ロ）図は背面図、（ハ）図は右側面図、（ニ）図はＡ−Ａ線断面図である。
【符号の説明】
【００２１】
１  軸
２  数字盤
３  桁上げ歯車
４  支持プレート
６  円盤
７  外リング
８  内リング
９  内歯車
１０  凹部
１４  支軸
１６  小歯車
１７  間欠歯車
【図１】
2005221318.tif 000003
【図２】
2005221318.tif 000004
【図３】
2005221318.tif 000005
【図４】
2005221318.tif 000006
【図５】
2005221318.tif 000007
【図６】
2005221318.tif 000008
【図７】
2005221318.tif 000009
【図８】
2005221318.tif 000010
【図９】
2005221318.tif 000011
【図１０】
2005221318.tif 000012
【図１１】
2005221318.tif 000013
【図１２】
2005221318.tif 000014
【図１３】
2005221318.tif 000015
【図１４】
2005221318.tif 000016